(57)【要約】【課題】一例として、支持部材が浮き上がることを抑制可能な給電装置を得る。【解決手段】実施形態に係る給電装置は、一例として、第１の方向に向く内面と、前記内面から前記第１の方向に離間した制限部と、を有する筐体と、少なくとも一部が前記内面と前記制限部との間に位置し、前記内面に沿う第２の方向に移動可能であり、前記内面から遠ざかることを前記制限部によって制限された、支持部材と、前記支持部材に前記第２の方向の力を付与する付与装置と、前記筐体の内部において前記内面に沿って延び、前記支持部材に沿って湾曲するとともに前記付与装置によって前記支持部材を押し付けられる曲部を有する、配線とを備える。【選択図】図１
2020145830.tif 000002
【特許請求の範囲】
【請求項１】
第１の方向に向く内面と、前記内面から前記第１の方向に離間した制限部と、を有する筐体と、
少なくとも一部が前記内面と前記制限部との間に位置し、前記内面に沿う第２の方向に移動可能であり、前記内面から遠ざかることを前記制限部によって制限された、支持部材と、
前記支持部材に前記第２の方向の力を付与する付与装置と、
前記筐体の内部において前記内面に沿って延び、前記支持部材に沿って湾曲するとともに前記付与装置によって前記支持部材を押し付けられる曲部を有する、配線と、
を具備する給電装置。
【請求項２】
前記制限部及び前記支持部材のうち一方は、前記制限部及び前記支持部材のうち他方に向かって突出する第１の凸部を有し、
前記内面に沿うとともに前記第２の方向と直交する第３の方向において、前記第１の凸部の長さは、前記支持部材の長さよりも短い、
請求項１の給電装置。
【請求項３】
前記制限部及び前記支持部材のうち前記他方に、前記第２の方向に延びるとともに前記第１の凸部が収容される第１の溝が設けられる、請求項２の給電装置。
【請求項４】
前記内面及び前記支持部材のうち一方に、前記内面及び前記支持部材のうち他方に向かって突出する第２の凸部が設けられ、
前記第３の方向において、前記第２の凸部の長さは、前記支持部材の長さよりも短い、
請求項２又は請求項３の給電装置。
【請求項５】
前記内面及び前記支持部材のうち一方に、前記内面及び前記支持部材のうち他方に向かって突出する第３の凸部が設けられ、
前記内面及び前記支持部材のうち前記他方に、前記第２の方向に延びるとともに前記第３の凸部が収容される第２の溝が設けられる、
請求項２乃至請求項４のいずれか一つの給電装置。
【発明の詳細な説明】
【技術分野】
【０００１】
本発明の実施形態は、給電装置に関する。
【背景技術】
【０００２】
従来、スライドレールやスライドドアのようなスライドする部品に電力を供給する給電装置が知られている。当該給電装置は、例えば、ケースに収容されたワイヤハーネスと、ワイヤハーネスを支持する支持部材と、支持部材を付勢するバネとを有する。付勢された支持部材がワイヤハーネスに張力を付与することで、ワイヤハーネスがケース内で絡まって動かなくなったり、垂れ下がったりすることが防止される（特許文献１）。
【先行技術文献】
【特許文献】
【０００３】
【特許文献１】特開２００９−２０７３４６号公報
【発明の概要】
【発明が解決しようとする課題】
【０００４】
しかしながら、従来の構成では、例えば支持部材に付与される力によって、支持部材がケースから浮き上がってしまう虞がある。
【０００５】
そこで、本発明は上記に鑑みてなされたものであり、支持部材が浮き上がることを抑制可能な給電装置を提供する。
【課題を解決するための手段】
【０００６】
本発明の実施形態に係る給電装置は、一例として、第１の方向に向く内面と、前記内面から前記第１の方向に離間した制限部と、を有する筐体と、少なくとも一部が前記内面と前記制限部との間に位置し、前記内面に沿う第２の方向に移動可能であり、前記内面から遠ざかることを前記制限部によって制限された、支持部材と、前記支持部材に前記第２の方向の力を付与する付与装置と、前記筐体の内部において前記内面に沿って延び、前記支持部材に沿って湾曲するとともに前記付与装置によって前記支持部材を押し付けられる曲部を有する、配線とを備える。よって、一例としては、支持部材が内面から浮き上がることが抑制される。
【０００７】
上記給電装置では、一例として、前記制限部及び前記支持部材のうち一方は、前記制限部及び前記支持部材のうち他方に向かって突出する第１の凸部を有し、前記内面に沿うとともに前記第２の方向と直交する第３の方向において、前記第１の凸部の長さは、前記支持部材の長さよりも短い。よって、一例としては、制限部と支持部材との接触面積ひいては摩擦を低減することが可能となり、支持部材が制限部に接触した状態で滑らかに第２の方向に移動することができる。
【０００８】
上記給電装置では、一例として、前記制限部及び前記支持部材のうち前記他方に、前記第２の方向に延びるとともに前記第１の凸部が収容される第１の溝が設けられる。よって、一例としては、支持部材が第３の方向に移動すること及び支持部材が回転することが制限される。
【０００９】
上記給電装置では、一例として、前記内面及び前記支持部材のうち一方に、前記内面及び前記支持部材のうち他方に向かって突出する第２の凸部が設けられ、前記第３の方向において、前記第２の凸部の長さは、前記支持部材の長さよりも短い。よって、一例としては、内面と支持部材との接触面積及び摩擦を低減することが可能となり、支持部材が滑らかに第２の方向に移動することができる。
【００１０】
上記給電装置では、一例として、前記内面及び前記支持部材のうち一方に、前記内面及び前記支持部材のうち他方に向かって突出する第３の凸部が設けられ、前記内面及び前記支持部材のうち前記他方に、前記第２の方向に延びるとともに前記第３の凸部が収容される第２の溝が設けられる。よって、一例としては、支持部材が第３の方向に移動すること及び支持部材が回転することが制限される。
【図面の簡単な説明】
【００１１】
【図１】図１は、第１の実施形態に係るスライドレール装置を概略的に示す例示的な斜視図である。
【図２】図２は、第１の実施形態のスライドしたスライドレール装置を概略的に示す例示的な斜視図である。
【図３】図３は、第１の実施形態の給電装置を概略的に示す例示的な斜視図である。
【図４】図４は、第１の実施形態の給電装置を分解して概略的に示す例示的な斜視図である。
【図５】図５は、第１の実施形態の給電装置の一部を概略的に示す例示的な平面図である。
【図６】図６は、第１の実施形態の給電装置を図５のＦ６−Ｆ６線に沿って模式的に示す例示的な断面図である。
【図７】図７は、第２の実施形態に係る給電装置の一部を概略的に示す例示的な断面図である。
【図８】図８は、第３の実施形態に係る給電装置の一部を概略的に示す例示的な断面図である。
【発明を実施するための形態】
【００１２】
（第１の実施形態）
以下に、第１の実施形態について、図１乃至図６を参照して説明する。なお、本明細書においては基本的に、鉛直上方を上方向、鉛直下方を下方向と定義する。また、本明細書において、実施形態に係る構成要素及び当該要素の説明について、複数の表現が記載されることがある。複数の表現がされた構成要素及び説明は、記載されていない他の表現がされても良い。さらに、複数の表現がされない構成要素及び説明も、記載されていない他の表現がされても良い。
【００１３】
図１は、第１の実施形態に係るスライドレール装置１０を概略的に示す例示的な斜視図である。図２は、第１の実施形態のスライドしたスライドレール装置１０を概略的に示す例示的な斜視図である。スライドレール装置１０は、例えば、自動車のような車両１に搭載される。スライドレール装置１０は、スライドレール１１と、給電装置１２とを有する。
【００１４】
スライドレール１１は、車両１のシートを前後方向にスライド可能とする。スライドレール１１は、例えば、一対のロアレール２１と、一対のアッパレール２２と、駆動装置２３とを有する。なお、図１は、一つのロアレール２１及び一つのアッパレール２２を示す。
【００１５】
各図面に示されるように、本明細書において、Ｘ軸、Ｙ軸及びＺ軸が定義される。Ｘ軸とＹ軸とＺ軸とは、互いに直交する。Ｘ軸は、車両１の幅方向に沿う。Ｙ軸は、車両１の長さに沿う。Ｚ軸は、車両１の高さに沿う。
【００１６】
ロアレール２１は、Ｙ軸方向（車両１の前後方向）に延び、車両１のフロア１ａに取り付けられる。アッパレール２２は、車両１の前後方向にスライド可能に、ロアレール２１に取り付けられる。アッパレール２２に、シートが取り付けられる。
【００１７】
駆動装置２３は、例えば、アッパレール２２に取り付けられる。駆動装置２３は、モータ２３ａと、ギアセット２３ｂとを有する。ギアセット２３ｂは、例えば、ロアレール２１に取り付けられたスクリュー、アッパレール２２に取り付けられたナット、及びモータ２３ａの回転をナットに伝達する種々のギアを有する。モータ２３ａによってギアセット２３ｂが駆動させられることで、アッパレール２２がロアレール２１に対して車両１の前後方向にスライドする。なお、アッパレール２２は、例えば手動でロアレール２１に対してスライドしても良い。
【００１８】
給電装置１２は、例えば、車両１のバッテリから、モータ２３ａのような種々の部品に電力を供給する。給電装置１２は、スライドレール装置１０に搭載される場合、スライドレール１１に隣接し、横置きに配置される。なお、給電装置１２の配置は、この例に限られない。
【００１９】
図３は、第１の実施形態の給電装置１２を概略的に示す例示的な斜視図である。図３に示すように、給電装置１２は、筐体６１と、巻取ガイド６２と、引張装置６３と、ワイヤハーネス６４と、複数のガイドローラ６５と、複数のテープ６６と、ガイド部材６７とを有する。巻取ガイド６２は、支持部材の一例である。引張装置６３は、付与装置の一例である。ワイヤハーネス６４は、配線の一例である。
【００２０】
筐体６１は、箱状に形成される。筐体６１の内部に、収容室７１が設けられる。収容室７１は、筐体の内部の一例である。筐体６１の収容室７１に、巻取ガイド６２、引張装置６３、ワイヤハーネス６４の一部、ガイドローラ６５、テープ６６、及びガイド部材６７が収容される。なお、巻取ガイド６２、引張装置６３、ガイドローラ６５、テープ６６、及びガイド部材６７のそれぞれの一部が、収容室７１の外に位置しても良い。
【００２１】
図４は、第１の実施形態の給電装置１２を分解して概略的に示す例示的な斜視図である。図４に示すように、筐体６１は、ケース７３と、蓋７４とを有する。蓋７４は、制限部の一例である。さらに、蓋７４は、蓋部材７６と、ガイドレール７７とを有する。ガイドレール７７は、第１の凸部の一例である。なお、図１乃至図３においては、説明のために蓋部材７６が省略されている。
【００２２】
ケース７３は、例えば、金属によって作られる。なお、ケース７３は、他の材料によって作られても良い。ケース７３は、底壁８１と、周壁８２と、複数の取付片８３とを有する。
【００２３】
底壁８１は、Ｘ−Ｙ平面上に広がり、Ｙ軸方向に延びる略矩形の板状に形成される。底壁８１は、第１の内面８１ａを有する。第１の内面８１ａは、内面の一例である。第１の内面８１ａは、略平坦に形成され、Ｚ軸の正方向（Ｚ軸の矢印が示す方向、車両１の上方向）に向く。Ｚ軸の正方向は、第１の方向の一例である。
【００２４】
周壁８２は、底壁８１の外縁から、Ｚ軸の正方向に延びる。周壁８２は、第１の内面８１ａを囲む。周壁８２は、筐体６１の内側に向く内周面８２ａを有する。取付片８３は、底壁８１から、周壁８２の外側に突出する。取付片８３は、例えばボルトによって、車両１のフロア１ａに取り付けられる。これにより、給電装置１２がフロア１ａに取り付けられる。
【００２５】
ケース７３に、二つのスリット８５と、取付孔８６と、第１の挿通孔８７と、第２の挿通孔８８とが設けられる。スリット８５は、第２の溝の一例である。スリット８５、取付孔８６、及び第１の挿通孔８７は、第１の内面８１ａに設けられ、底壁８１を貫通する。第２の挿通孔８８は、周壁８２を貫通する。スリット８５、取付孔８６、第１の挿通孔８７、及び第２の挿通孔８８は、収容室７１と筐体６１の外部とを連通する。
【００２６】
二つのスリット８５は、Ｘ軸方向に間隔を介して配置され、Ｙ軸方向に略平行に延びる。取付孔８６は、スリット８５からＹ軸の正方向（Ｙ軸の矢印が示す方向、車両１の前方向）に離間している。Ｙ軸の正方向は、第２の方向の一例である。なお、Ｙ軸方向は、第１の内面８１ａに沿う方向であり、Ｙ軸の正方向とＹ軸の負方向（Ｙ軸の矢印の反対方向、車両１の後方向）とを含む。
【００２７】
図５は、第１の実施形態の給電装置１２の一部を概略的に示す例示的な平面図である。図５に示すように、第１の挿通孔８７は、Ｙ軸の負方向におけるスリット８５の端の近傍に位置する。第１の挿通孔８７は、スリット８５からＸ軸の正方向（Ｘ軸の矢印が示す方向、車両１の左方向）に離間している。
【００２８】
第２の挿通孔８８は、第１の挿通孔８７の近傍に位置する。第２の挿通孔８８は、第１の挿通孔８７からＸ軸の正方向に離間している。なお、第１の挿通孔８７及び第２の挿通孔８８はそれぞれ、他の位置に設けられても良い。
【００２９】
図６は、第１の実施形態の給電装置１２を図５のＦ６−Ｆ６線に沿って模式的に示す例示的な断面図である。図６に示すように、蓋部材７６は、例えば、金属によって作られる。なお、蓋部材７６は、他の材料によって作られても良い。
【００３０】
蓋部材７６は、Ｚ軸の正方向における周壁８２の端に配置され、収容室７１を塞ぐ。蓋部材７６は、例えば、スペーサを介し、ネジによってケース７３の底壁８１に取り付けられる。蓋部材７６は、上記スペーサによって支持され、底壁８１からＺ軸の正方向に離間した位置に保持される。このため、蓋７４は、底壁８１の第１の内面８１ａからＺ軸の正方向に離間している。
【００３１】
蓋部材７６は、第２の内面７６ａを有する。第２の内面７６ａは、略平坦に形成され、Ｚ軸の負方向（Ｚ軸の矢印の反対方向、車両１の下方向）に向く。第２の内面７６ａは、間隔を介して第１の内面８１ａと向かい合う。
【００３２】
収容室７１は、底壁８１の第１の内面８１ａと、周壁８２の内周面８２ａと、蓋部材７６の第２の内面７６ａと、によって規定（形成）される。別の表現によれば、収容室７１は、底壁８１の第１の内面８１ａと、蓋部材７６の第２の内面７６ａとの間に設けられる。
【００３３】
ガイドレール７７は、例えば、ポリアセタール（ＰＯＭ）のような合成樹脂によって作られる。なお、ガイドレール７７は、他の材料によって作られても良いし、蓋部材７６と一体に作られても良い。
【００３４】
ガイドレール７７は、Ｙ軸方向に延び、蓋部材７６の第２の内面７６ａに取り付けられる。Ｘ軸方向において、ガイドレール７７の長さ（幅）は、蓋部材７６の長さ（幅）よりも短い。このため、ガイドレール７７は、蓋部材７６の第２の内面７６ａから、Ｚ軸の負方向に突出する部分となる。Ｘ軸方向は、第１の内面８１ａに沿う方向であり、第３の方向の一例である。
【００３５】
図５に示すように、ガイドレール７７は、Ｘ軸方向において、二つのスリット８５の間に位置する。なお、ガイドレール７７は、他の位置に設けられても良いし、二つのスリット８５を覆っても良い。
【００３６】
巻取ガイド６２は、例えば、ＰＯＭのような合成樹脂によって作られる。なお、巻取ガイド６２は、他の材料によって作られても良い。巻取ガイド６２は、取付部９１と、支持部９２とを有する。
【００３７】
取付部９１は、例えば、略矩形の板状に形成され、底壁８１の第１の内面８１ａに沿って配置される。支持部９２は、取付部９１からＺ軸の正方向に突出する。支持部９２は、曲面９２ａを有する。
【００３８】
曲面９２ａは、Ｙ軸の正方向に凸な略半円弧状に延びる。例えば、曲面９２ａは、第１の内面８１ａと直交する中心軸を持つ円筒状の面のうち、当該軸に対してＹ軸の正方向側に位置する部分を含む。なお、曲面９２ａはこの例に限られず、例えば、楕円の略半円弧状に延びても良いし、完全に円筒状の面であっても良い。取付部９１は、Ｚ軸の負方向における曲面９２ａの端からＹ軸の正方向に延びる。
【００３９】
図６に示すように、巻取ガイド６２は、底壁８１の第１の内面８１ａと、蓋７４と、の間に位置する。巻取ガイド６２は、上面６２ａと下面６２ｂとを有する。上面６２ａは、支持部９２に設けられる。下面６２ｂは、取付部９１に設けられる。なお、上面６２ａ及び下面６２ｂは、この例に限られない。
【００４０】
上面６２ａは、略平坦に形成され、Ｚ軸の正方向に向く。上面６２ａは、間隔を介して蓋部材７６の第２の内面７６ａと向かい合う。下面６２ｂは、略平坦に形成され、Ｚ軸の負方向に向く。下面６２ｂは、間隔を介して底壁８１の第１の内面８１ａと向かい合う。
【００４１】
巻取ガイド６２の上面６２ａに、ガイド溝９５が設けられる。ガイド溝９５は、第１の溝の一例である。ガイド溝９５は、上面６２ａのＹ軸方向の両端の間でＹ軸方向に延びる。このため、ガイド溝９５は、支持部９２のＹ軸の負方向及びＹ軸の正方向の端で開放される。
【００４２】
Ｘ軸方向において、ガイド溝９５の長さ（幅）は、支持部９２の長さ（幅）よりも短い。ガイドレール７７は、第２の内面７６ａから巻取ガイド６２に向かって突出し、ガイド溝９５に収容される。Ｘ軸方向において、ガイドレール７７の長さ（幅）は、巻取ガイド６２の長さ（幅）よりも短い。
【００４３】
巻取ガイド６２は、ガイド溝９５の底面９５ａ及び二つの側縁９５ｂを有する。底面９５ａは、略平坦に形成され、Ｚ軸の正方向に向く。底面９５ａは、ガイドレール７７に向く。このため、底面９５ａを含む巻取ガイド６２の一部は、第１の内面８１ａとガイドレール７７との間に位置する。
【００４４】
底面９５ａとガイドレール７７との間の距離Ｌ１は、上面６２ａと第２の内面７６ａとの間の距離Ｌ２よりも短い。なお、距離Ｌ１と距離Ｌ２とが略同一であっても良い。底面９５ａは、ガイドレール７７に接触しても良い。
【００４５】
側縁９５ｂは、Ｘ軸方向における底面９５ａの縁と上面６２ａとの間に設けられる。側縁９５ｂは、ガイドレール７７と対向している。少なくとも一方の側縁９５ｂが、ガイドレール７７から離間する。なお、二つの側縁９５ｂがガイドレール７７に接触しても良い。
【００４６】
巻取ガイド６２の下面６２ｂに、複数のリブ９７と、複数のガイド突起９８とが設けられる。リブ９７は、第２の凸部の一例である。ガイド突起９８は、第３の凸部の一例である。Ｘ軸方向において、リブ９７の長さ（幅）及びガイド突起９８の長さ（幅）はそれぞれ、巻取ガイド６２の長さ（幅）よりも短い。
【００４７】
リブ９７は、下面６２ｂから第１の内面８１ａに向かって突出する。リブ９７が第１の内面８１ａに当接することで、巻取ガイド６２は第１の内面８１ａに支持され、下面６２ｂは第１の内面８１ａから離間した状態に保たれる。
【００４８】
Ｘ軸方向において、三つのリブ９７が間隔を介して配置される。図６に示すように、三つのリブ９７の間に、二つのスリット８５が位置する。なお、リブ９７の配置及び個数はこの例に限られない。下面６２ｂから突出する複数のリブ９７はそれぞれ、Ｙ軸方向に延びる。
【００４９】
ガイド突起９８は、下面６２ｂから第１の内面８１ａに向かって突出する。Ｘ軸方向において、二つのガイド突起９８が間隔を介して配置される。三つのリブ９７の間に、二つのガイド突起９８が位置する。
【００５０】
ガイド突起９８は、スリット８５に収容される。Ｘ軸方向において、ガイド溝９５の長さ（幅）とガイドレール７７の長さ（幅）との差は、スリット８５の長さ（幅）とガイド突起９８の長さ（幅）との差よりも大きい。このため、給電装置１２の組立時に、ガイド突起９８をスリット８５に挿入した後、蓋７４をケース７３に取り付けることでガイドレール７７をガイド溝９５に挿入することが容易となる。
【００５１】
ガイドレール７７がガイド溝９５に収容され、ガイド突起９８がスリット８５に収容される。これにより、巻取ガイド６２は、Ｙ軸方向に移動可能である一方、Ｘ軸方向に移動することを制限されるとともに、第１の内面８１ａと直交する軸まわりに回転することを制限される。例えば、ガイド溝９５の側縁９５ｂの少なくとも一方がガイドレール７７に当接することで、巻取ガイド６２は、Ｘ軸方向に移動することを制限されるとともに、第１の内面８１ａと直交する軸まわりに回転することを制限される。
【００５２】
図４に示すように、引張装置６３は、調整部材１０１と、ベース部材１０２と、第１の回転体１０３と、第２の回転体１０４と、ゼンマイバネ１０５と、ワイヤ１０６とを有する。
【００５３】
調整部材１０１は、二つの端壁１０１ａと、凹壁１０１ｂとを有する。端壁１０１ａは、例えばネジによって第１の内面８１ａに取り付けられる。凹壁１０１ｂは、二つの端壁１０１ａの間に位置し、端壁１０１ａからＺ軸の負方向に窪むように曲げられる。凹壁１０１ｂは、取付孔８６に嵌められる。
【００５４】
ベース部材１０２は、凹壁１０１ｂに取り付けられる。このため、ベース部材１０２は、調整部材１０１を介して底壁８１に取り付けられる。調整部材１０１は、第１の内面８１ａからＺ軸の負方向に離間した位置で、ベース部材１０２を支持する。
【００５５】
第１の回転体１０３及び第２の回転体１０４は、Ｚ軸方向に延びるそれぞれの中心軸まわりに回転可能にベース部材１０２に取り付けられる。ゼンマイバネ１０５は、第１の回転体１０３に巻き付けられる。ワイヤ１０６は、第２の回転体１０４に巻き付けられる。ゼンマイバネ１０５は、ワイヤ１０６が第２の回転体１０４に巻き取られるように、第２の回転体１０４を回転させ、又はワイヤ１０６の一方の端部を引っ張る。
【００５６】
ワイヤ１０６の他方の端部は、巻取ガイド６２の取付部９１に取り付けられる。これにより、引張装置６３は、巻取ガイド６２をＹ軸の正方向に引っ張る。言い換えると、引張装置６３は、巻取ガイド６２にＹ軸の正方向の力を付与する。
【００５７】
ワイヤ１０６が巻取ガイド６２に取り付けられるＺ軸方向における位置は、例えば、凹壁１０１ｂのＺ軸方向における位置によって調整可能である。さらに、ベース部材１０２は、ワイヤガイド１０２ａを有する。ワイヤ１０６が通される孔がワイヤガイド１０２ａに設けられており、当該孔の位置によって、ワイヤ１０６が巻取ガイド６２に取り付けられるＺ軸方向における位置が調整可能となる。
【００５８】
巻取ガイド６２は、上述の引張装置６３に限らず、他の付与装置によってＹ軸の正方向の力を付与されても良い。例えば、付与装置は、コイルバネによって巻取ガイド６２をＹ軸の正方向に引っ張り又は押しても良い。
【００５９】
ワイヤハーネス６４は、例えば、複数の電線と、コルゲートチューブとを有する。コルゲートチューブは、合成樹脂によって作られ、複数の電線を覆い束ねる。なお、ワイヤハーネス６４は、この例に限られない。例えば、ワイヤハーネス６４は、コルゲートチューブの代わりに、スパイラルチューブのような他の部品で電線を覆い束ねても良い。
【００６０】
ワイヤハーネス６４は、被収容部１１１と、第１の延出部１１２と、第２の延出部１１３とを有する。被収容部１１１は、ワイヤハーネス６４のうち、収容室７１に収容される部分である。第１の延出部１１２及び第２の延出部１１３は、ワイヤハーネス６４のうち、筐体６１の外部に位置する部分である。被収容部１１１は、第１の延出部１１２と第２の延出部１１３との間に設けられる。
【００６１】
被収容部１１１は、第１の内面８１ａと大よそ平行な方向に延びる。すなわち、ワイヤハーネス６４は、収容室７１において第１の内面８１ａに沿って延びる。なお、被収容部１１１は、第１の内面８１ａから若干離間していても良いし、若干波打っていても良い。
【００６２】
被収容部１１１は、二カ所で略Ｕ字状に折り返されており、第１の延部１１１ａと、第２の延部１１１ｂと、第１の曲部１１１ｄと、第２の曲部１１１ｅとを有する。第１の曲部１１１ｄは、曲部の一例である。なお、被収容部１１１は、この例に限られない。
【００６３】
第１の延部１１１ａ及び第２の延部１１１ｂはそれぞれ、Ｙ軸方向に略直線状に延びる。第１の延部１１１ａは、第１の延出部１１２と第１の曲部１１１ｄとの間に設けられる。第２の延部１１１ｂは、第１の曲部１１１ｄと第２の曲部１１１ｅとの間に設けられる。
【００６４】
図５に示すように、第１の曲部１１１ｄは、巻取ガイド６２の曲面９２ａに沿って、Ｙ軸の正方向に凸に略円弧状に湾曲する。すなわち、ワイヤハーネス６４は、第１の曲部１１１ｄにおいて略Ｕ字状に折り返される。
【００６５】
巻取ガイド６２の曲面９２ａは、第１の曲部１１１ｄに接触し支持される。引張装置６３は、巻取ガイド６２をＹ軸の正方向に引っ張ることで、巻取ガイド６２の曲面９２ａを第１の曲部１１１ｄに押し付ける。引張装置６３は、巻取ガイド６２を介して、第１の曲部１１１ｄをＹ軸の正方向に引っ張る。
【００６６】
第２の曲部１１１ｅは、第２の延部１１１ｂと第２の延出部１１３との間に設けられる。第２の曲部１１１ｅは、Ｙ軸の負方向に凸に略円弧状に湾曲する。すなわち、ワイヤハーネス６４は、第２の曲部１１１ｅにおいて略Ｕ字状に折り返される。第２の曲部１１１ｅの半径は、第１の曲部１１１ｄの半径よりも大きい。第２の曲部１１１ｅは、ガイドローラ６５に支持される。
【００６７】
第１の延出部１１２は、第１の挿通孔８７を通じて筐体６１の外部に延出する。第１の延出部１１２は、例えば、電線を介して車両１のバッテリに接続される。第１の延出部１１２の近傍において、被収容部１１１は、例えば結束バンドによって筐体６１に固定される。
【００６８】
第２の延出部１１３は、第２の挿通孔８８を通じて筐体６１の外部に延出する。第２の延出部１１３は、例えば、第２の挿通孔８８の近傍に配置されるロアレール２１の内部を通り、アッパレール２２に取り付けられる。第２の延出部１１３に設けられたワイヤハーネス６４の端子は、例えば、モータ２３ａに接続される。
【００６９】
第２の延出部１１３は、アッパレール２２がスライドすることによって移動させられる。言い換えると、筐体６１の外部に延出された第２の延出部１１３の長さは、アッパレール２２がスライドすることによって変化する。
【００７０】
図１に示すように、アッパレール２２がロアレール２１の後方の端部に位置する場合、第２の延出部１１３が最も短くなり、被収容部１１１が最も長くなる。アッパレール２２が前方に移動することで、第２の延出部１１３が前方に引っ張られる。
【００７１】
アッパレール２２の移動に伴い、収容室７１に収容されたワイヤハーネス６４が、第２の挿通孔８８を通って筐体６１の外部に繰り出される。これにより、第２の延出部１１３の長さが増加し、被収容部１１１の長さが減少する。図２に示すように、アッパレール２２がロアレール２１の前方の端部に位置する場合、第２の延出部１１３が最も長くなり、被収容部１１１が最も短くなる。
【００７２】
図５に示すように、被収容部１１１の長さが減少すると、第１の延部１１１ａ及び第２の延部１１１ｂの長さが減少し、第１の曲部１１１ｄがＹ軸の負方向に移動する。第１の曲部１１１ｄに接触する巻取ガイド６２も、ワイヤハーネス６４に押され、Ｙ軸の負方向に移動する。引張装置６３が巻取ガイド６２を引っ張る力は、駆動装置２３がアッパレール２２を移動させる力よりも小さい。
【００７３】
反対に、アッパレール２２が後方に移動すると、アッパレール２２と第２の挿通孔８８との間の距離が減少し、第２の延出部１１３の張力が減少する。巻取ガイド６２は、引張装置６３によってＹ軸の正方向に引っ張られることで、第１の曲部１１１ｄをＹ軸の正方向に押す。これにより、巻取ガイド６２は、筐体６１の外部に位置するワイヤハーネス６４を、第２の挿通孔８８を通じて収容室７１へ引っ張り込む。アッパレール２２の移動に伴い、第２の延出部１１３の長さが減少し、被収容部１１１の長さが増大する。
【００７４】
巻取ガイド６２は、ワイヤハーネス６４を引っ張ることで、ワイヤハーネス６４に張力を生じさせ、ワイヤハーネス６４が弛むことを抑制する。ワイヤハーネス６４は、第１の延部１１１ａ及び第２の延部１１１ｂが略直線状に保たれたまま、収容室７１の内部へと巻き取られる。第１の曲部１１１ｄがＹ軸の正方向に移動し、第１の延部１１１ａ及び第２の延部１１１ｂの長さが増大する。
【００７５】
上述のように、ワイヤハーネス６４が収容室７１の内部へと巻き取られるため、ロアレール２１の内部において、第２の延出部１１３が弛むことが抑制される。このため、ロアレール２１には、ワイヤハーネス６４を保持するガイドが不要となる。
【００７６】
引張装置６３が巻取ガイド６２を引っ張る際に、巻取ガイド６２を第１の内面８１ａから遠ざかるように回転させるような力のモーメントが生じることがある。言い換えると、巻取ガイド６２のＹ軸の正方向又は負方向の端部が第１の内面８１ａから浮き上がるような、力のモーメントが生じることがある。
【００７７】
上記力のモーメントは、例えば、ワイヤ１０６が巻取ガイド６２に取り付けられるＺ軸方向における位置によって生じる。なお、当該力のモーメントは、この例に限らず、例えば、ワイヤハーネス６４が巻取ガイド６２に作用させる力によっても生じ得る。
【００７８】
巻取ガイド６２が第１の内面８１ａから遠ざかろうとすると、ガイドレール７７がガイド溝９５の底面９５ａに当接する。このため、巻取ガイド６２は、第１の内面８１ａから遠ざかることを、ガイドレール７７によって制限されている。なお、巻取ガイド６２は、第１の内面８１ａから、例えば僅かに遠ざかることが可能であっても良い。
【００７９】
上述のように、ガイドレール７７がガイド溝９５に収容されることで、巻取ガイド６２は、Ｘ軸方向に移動することを制限されるとともに、第１の内面８１ａと直交する軸まわりに回転することを制限される。しかし、ワイヤハーネス６４が曲面９２ａを摺動することで、巻取ガイド６２が第１の内面８１ａと直交する軸まわりに若干回転することがある。
【００８０】
図５に示すように、ガイド溝９５の側縁９５ｂのＹ軸方向における端９５ｃは、略円弧状に面取りされる。これにより、巻取ガイド６２が若干回転しても、端９５ｃとガイドレール７７との接触が線接触ではなく面接触となり、応力集中が生じることが抑制される。
【００８１】
ガイドローラ６５は、第１の内面８１ａと直交する中心軸まわりに回転可能に、第１の内面８１ａに取り付けられる。第２の曲部１１１ｅがガイドローラ６５に支持されることで、ワイヤハーネス６４が滑らかに進退することができる。
【００８２】
テープ６６は、例えば、第１の内面８１ａ及び内周面８２ａに貼り付けられる。このため、テープ６６は、ワイヤハーネス６４と第１の内面８１ａ及び内周面８２ａとの間に介在する。テープ６６は、進退するワイヤハーネス６４がケース７３に接触することによる騒音や損傷を抑制する。
【００８３】
ガイド部材６７は、例えば、ＰＯＭのような合成樹脂によって作られる。なお、ガイド部材６７は、他の材料によって作られても良い。ガイド部材６７は、第２の挿通孔８８の近傍において、第１の内面８１ａに取り付けられる。ガイド部材６７は、ワイヤハーネス６４を滑らかに進退可能に保持する。
【００８４】
以上説明された第１の実施形態に係る給電装置１２において、引張装置６３によって、巻取ガイド６２にＹ軸の正方向の力が付与される。例えば当該力が付与される位置によって、巻取ガイド６２を第１の内面８１ａから遠ざかるように回転させるような力のモーメントが生じる。しかし、本実施形態の巻取ガイド６２は、第１の内面８１ａから遠ざかることを蓋７４のガイドレール７７によって制限される。これにより、巻取ガイド６２が第１の内面８１ａから浮き上がることが抑制される。
【００８５】
蓋７４は、巻取ガイド６２に向かって突出するガイドレール７７を有する。Ｘ軸方向において、ガイドレール７７の長さ（幅）は、巻取ガイド６２の長さ（幅）よりも短い。これにより、ガイドレール７７と巻取ガイド６２との接触面積ひいては摩擦を低減することが可能となり、巻取ガイド６２がガイドレール７７に接触した状態で滑らかにＹ軸方向に移動することができる。
【００８６】
巻取ガイド６２に、Ｙ軸方向に延びるとともにガイドレール７７が収容されるガイド溝９５が設けられる。これにより、巻取ガイド６２がＸ軸方向に移動すること及び巻取ガイド６２が回転することが制限される。
【００８７】
巻取ガイド６２に、第１の内面８１ａに向かって突出するリブ９７が設けられる。Ｘ軸方向において、リブ９７の長さ（幅）は、巻取ガイド６２の長さ（幅）よりも短い。これにより、第１の内面８１ａと巻取ガイド６２との接触面積及び摩擦を低減することが可能となり、巻取ガイド６２が滑らかにＹ軸の正方向に移動することができる。
【００８８】
巻取ガイド６２に、第１の内面８１ａに向かって突出するガイド突起９８が設けられる。第１の内面８１ａに、Ｙ軸方向に延びるとともにガイド突起９８が収容されるスリット８５が設けられる。これにより、巻取ガイド６２がＸ軸方向に移動すること及び巻取ガイド６２が回転することが制限される。
【００８９】
ガイド突起９８は、Ｙ軸方向に延びていても良い。また、一つのスリット８５に、Ｙ軸方向に間隔を介して配置された複数のガイド突起９８が収容されても良い。これらによれば、巻取ガイド６２が回転することがより制限される。
【００９０】
蓋７４は、蓋部材７６に取り付けられたガイドレール７７を有する。これにより、蓋部材７６を略平坦に形成することができ、例えば蓋７４を覆うフロアマットに凹凸が生じることが抑制される。
【００９１】
底面９５ａとガイドレール７７との間の距離Ｌ１は、上面６２ａと第２の内面７６ａとの間の距離Ｌ２よりも短い。これにより、巻取ガイド６２の上面６２ａと第２の内面７６ａとの接触により接触面積及び摩擦が増大することが抑制される。
【００９２】
以上説明された第１の実施形態において、巻取ガイド６２に、ガイドレール７７が収容されるガイド溝９５が設けられる。しかし、ガイド溝９５は、省略されても良い。この場合、巻取ガイド６２が第１の内面８１ａから遠ざかろうとすると、ガイドレール７７が巻取ガイド６２の上面６２ａに当接する。このため、巻取ガイド６２は、第１の内面８１ａから遠ざかることを、蓋７４によって制限される。
【００９３】
（第２の実施形態）
以下に、第２の実施形態について、図７を参照して説明する。なお、以下の複数の実施形態の説明において、既に説明された構成要素と同様の機能を持つ構成要素は、当該既述の構成要素と同じ符号が付され、さらに説明が省略される場合がある。また、同じ符号が付された複数の構成要素は、全ての機能及び性質が共通するとは限らず、各実施形態に応じた異なる機能及び性質を有していても良い。
【００９４】
図７は、第２の実施形態に係る給電装置１２の一部を概略的に示す例示的な断面図である。図７に示すように、第２の実施形態において、蓋７４がガイドレール７７を有する代わりに、蓋部材７６にガイド溝１２１が設けられる。ガイド溝１２１は、第１の溝の一例である。
【００９５】
ガイド溝１２１は、蓋部材７６の第２の内面７６ａに設けられ、Ｙ軸方向に延びる。Ｘ軸方向において、ガイド溝１２１の長さ（幅）は、巻取ガイド６２の長さ（幅）よりも短い。
【００９６】
蓋部材７６は、ガイド溝１２１の底面１２１ａ及び二つの側縁１２１ｂを有する。底面１２１ａは、略平坦に形成され、Ｚ軸の負方向に向く。底面１２１ａは、巻取ガイド６２に向く。側縁１２１ｂは、Ｘ軸方向における底面１２１ａの縁と第２の内面７６ａとの間に設けられる。
【００９７】
第２の実施形態において、巻取ガイド６２の上面６２ａに、ガイド溝９５の代わりに、ガイド突起１２３が設けられる。ガイド突起１２３は、第１の凸部の一例である。ガイド突起１２３は、上面６２ａから蓋７４に向かって突出する。
【００９８】
ガイド突起１２３は、Ｙ軸方向に延びる。なお、ガイド突起１２３は、この例に限られない。例えば、上面６２ａに、Ｙ軸方向に間隔を介して配置される複数のガイド突起１２３が設けられても良い。Ｘ軸方向において、ガイド突起１２３の長さ（幅）は、巻取ガイド６２の長さ（幅）よりも短い。
【００９９】
ガイド突起１２３は、蓋部材７６のガイド溝１２１に収容される。Ｘ軸方向において、ガイド溝１２１の長さ（幅）とガイド突起１２３の長さ（幅）との差は、スリット８５の長さ（幅）とガイド突起９８の長さ（幅）との差よりも大きい。このため、給電装置１２の組立時に、ガイド突起９８をスリット８５に挿入した後、蓋７４をケース７３に取り付けることでガイド突起１２３をガイド溝１２１に挿入することが容易となる。
【０１００】
ガイド突起１２３がガイド溝１２１に収容されることで、巻取ガイド６２は、Ｙ軸方向に移動可能である一方、Ｘ軸方向に移動することを制限されるとともに、第１の内面８１ａと直交する軸まわりに回転することを制限される。例えば、ガイド溝１２１の側縁１２１ｂがガイド突起１２３に当接することで、巻取ガイド６２は、Ｘ軸方向に移動することを制限されるとともに、第１の内面８１ａと直交する軸まわりに回転することを制限される。
【０１０１】
引張装置６３が巻取ガイド６２を引っ張る際に、巻取ガイド６２が第１の内面８１ａから遠ざかろうとすると、ガイド溝１２１の底面１２１ａがガイド突起１２３に当接する。このため、巻取ガイド６２は、第１の内面８１ａから遠ざかることを、蓋７４によって制限されている。
【０１０２】
ガイド溝１２１の底面１２１ａとガイド突起１２３との間の距離Ｌ３は、上面６２ａと第２の内面７６ａとの間の距離Ｌ２よりも短い。これにより、上面６２ａと第２の内面７６ａとの接触により接触面積及び摩擦が増大することが抑制される。なお、距離Ｌ２と距離Ｌ３とが略同一であっても良い。底面１２１ａは、ガイド突起１２３に接触しても良い。
【０１０３】
以上説明された第２の実施形態のように、巻取ガイド６２に、蓋７４に向かって突出する凸部が設けられ、蓋７４に当該凸部が収容される溝が設けられても良い。また、蓋７４にガイドレール７７及びガイド溝１２１が共に設けられ、巻取ガイド６２にガイド溝９５及びガイド突起１２３が共に設けられても良い。
【０１０４】
以上説明された第２の実施形態において、蓋７４に、ガイド突起１２３が収容されるガイド溝１２１が設けられる。しかし、ガイド溝１２１は、省略されても良い。この場合、巻取ガイド６２が第１の内面８１ａから遠ざかろうとすると、蓋部材７６の第２の内面７６ａがガイド突起１２３に当接する。このため、巻取ガイド６２は、第１の内面８１ａから遠ざかることを、蓋７４によって制限される。
【０１０５】
（第３の実施形態）
以下に、第３の実施形態について、図８を参照して説明する。図８は、第３の実施形態に係る給電装置１２の一部を概略的に示す例示的な断面図である。第３の実施形態では、第１の実施形態のように蓋７４にガイドレール７７が設けられるとともに巻取ガイド６２にガイド溝９５が設けられても良いし、第２の実施形態のように蓋７４にガイド溝１２１が設けられるとともに巻取ガイド６２にガイド突起１２３が設けられても良い。
【０１０６】
図８に示すように、第３の実施形態において、巻取ガイド６２にリブ９７が設けられる代わりに、第１の内面８１ａに三つの支持突起１３１が設けられる。支持突起１３１は、第２の凸部の一例である。
【０１０７】
支持突起１３１は、第１の内面８１ａから巻取ガイド６２に向かって突出する。三つの支持突起１３１は、Ｘ軸方向に間隔を介して配置され、Ｙ軸方向に略平行に延びる。Ｘ軸方向において、支持突起１３１のそれぞれの長さ（幅）は、巻取ガイド６２の長さ（幅）よりも短い。支持突起１３１は、巻取ガイド６２の下面６２ｂに接触する。これにより、支持突起１３１が巻取ガイド６２を支持し、下面６２ｂが第１の内面８１ａから離間した状態に保たれる。
【０１０８】
第３の実施形態において、第１の内面８１ａにスリット８５が設けられる代わりに、第１の内面８１ａに二つのレール１３３が設けられる。レール１３３は、第３の凸部の一例である。
【０１０９】
レール１３３は、第１の内面８１ａから巻取ガイド６２に向かって突出する。二つのレール１３３は、Ｘ軸方向に間隔を介して配置され、Ｙ軸方向に略平行に延びる。Ｘ軸方向において、レール１３３は、三つの支持突起１３１の間に配置される。Ｘ軸方向において、レール１３３のそれぞれの長さ（幅）は、巻取ガイド６２の長さ（幅）よりも短い。
【０１１０】
第３の実施形態において、巻取ガイド６２の下面６２ｂに、ガイド突起９８の代わりに、ガイド溝１３５が設けられる。ガイド溝１３５は、第２の溝の一例である。ガイド溝１３５は、下面６２ｂのＹ軸方向の両端の間でＹ軸方向に延びる。このため、ガイド溝１３５は、巻取ガイド６２のＹ軸の負方向及びＹ軸の正方向の端で開放される。Ｘ軸方向において、ガイド溝１３５の長さ（幅）は、巻取ガイド６２の長さ（幅）よりも短い。
【０１１１】
巻取ガイド６２は、ガイド溝１３５の底面１３５ａを有する。底面１３５ａは、略平坦に形成され、Ｚ軸の負方向に向く。底面１３５ａは、レール１３３に向く。レール１３３は、ガイド溝１３５に収容される。レール１３３は、ガイド溝１３５の底面１３５ａから、例えば僅かに離間する。なお、レール１３３は、ガイド溝１３５の底面１３５ａを支持しても良い。
【０１１２】
レール１３３がガイド溝１３５に収容されることで、巻取ガイド６２は、Ｙ軸方向に移動可能である一方、Ｘ軸方向に移動することを制限されるとともに、第１の内面８１ａと直交する軸まわりに回転することを制限される。
【０１１３】
以上説明された第３の実施形態のように、第１の内面８１ａに、巻取ガイド６２に向かって突出する凸部が設けられ、巻取ガイド６２に当該凸部が収容される溝が設けられても良い。また、第１の内面８１ａにスリット８５、支持突起１３１、及びレール１３３が共に設けられ、巻取ガイド６２にリブ９７、ガイド突起９８、及びガイド溝１３５が共に設けられても良い。
【０１１４】
以上説明された複数の実施形態において、給電装置１２は、スライドレール１１のために用いられる。しかし、給電装置１２はこの例に限らず、例えば、スライドドアやサンルーフのような、スライドする種々の装置のために用いられても良い。給電装置１２がスライドドアに用いられる場合、Ｘ軸が車両１の高さに沿い、Ｚ軸が車両１の幅に沿うように、給電装置１２は縦置きに配置され得る。
【０１１５】
また、上記実施形態において、ガイドレール７７及びガイド溝９５の数は、それぞれ一つだが、それぞれ二つ以上であっても良い。さらに、上記実施形態において、ガイド突起９８及びスリット８５の数は、それぞれ二つだが、それぞれ一つであっても良いし、それぞれ三つで以上あっても良い。
【０１１６】
以上、本発明の実施形態を例示したが、上記実施形態及び変形例はあくまで一例であって、発明の範囲を限定することは意図していない。上記実施形態や変形例は、その他の様々な形態で実施されることが可能であり、発明の要旨を逸脱しない範囲で、種々の省略、置き換え、組み合わせ、変更を行うことができる。また、各実施形態や各変形例の構成や形状は、部分的に入れ替えて実施することも可能である。
【符号の説明】
【０１１７】
１２…給電装置、６１…筐体、６２…巻取ガイド、６３…引張装置、６４…ワイヤハーネス、７１…収容室、７４…蓋、７７…ガイドレール、８１…底壁、８１ａ…第１の内面、８５…スリット、９５…ガイド溝、９７…リブ、９８…ガイド突起、１１１…被収容部、１１１ｄ…第１の曲部、１２１…ガイド溝、１２３…ガイド突起、１３１…支持突起、１３３…レール、１３５…ガイド溝。
【図１】
2020145830.tif 000003
【図２】
2020145830.tif 000004
【図３】
2020145830.tif 000005
【図４】
2020145830.tif 000006
【図５】
2020145830.tif 000007
【図６】
2020145830.tif 000008
【図７】
2020145830.tif 000009
【図８】
2020145830.tif 000010